(57)【要約】【課題】  風圧によりパネル体が支柱から外れるのを防止できるフェンスの提供。【解決手段】  支柱１とパネル体２とを備え、支柱１は、支持具３と抜け防止具４を有し、パネル体２は、支持具３に上方より係止する係止部５を有すると共に、係止部５の上方に抜け防止具４と係合自在な係合部６を有する。【選択図】      図１
2010261260.tif 000002
【特許請求の範囲】
【請求項１】
支柱とパネル体とを備え、支柱は、支持具と抜け防止具を有し、パネル体は、支持具に上方より係止する係止部を有すると共に、係止部の上方に抜け防止具と係合自在な係合部を有することを特徴とするフェンス。
【請求項２】
支柱は、中空部内に補強材を有し、補強材は、左右の側部と繋ぎ部とを有する断面略Ｈ状であり、抜け防止具が繋ぎ部を貫通していることを特徴とする請求項１記載のフェンス。
【発明の詳細な説明】
【技術分野】
【０００１】
本発明は、支柱にパネル体を支持したフェンスに関する。
【背景技術】
【０００２】
従来のフェンスの一形態として、特許文献１，２に示すように、アルミ合金の押出形材等を用いて組み立てたパネル体を、地面から適宜間隔で立設した支柱の前面に金具で取付けたものがある。特許文献１記載のフェンスは、特許文献１の図１に示すように、支柱の下部に支持金具（パネル受止部９）が、支柱の上部に引寄せ金具（係合部材６）がそれぞれ設けてあり、パネル体の下部を支持金具に上方から係止し、引寄せ金具をパネル体の上部に形成された溝に引っ掛け、引寄せ金具に螺合したネジを回して引寄せることにより、パネル体を支柱に取付けている。特許文献２記載のフェンスは、支柱下部に設けた支持金具（下位ブラケット４）にパネル体の下部を上方より係止し、パネル体の上面と支柱の上面とにまたがって上位ブラケット３を取付け、パネル体を支柱に取付けている。
上記従来のフェンスにおいては、強風時にパネル体が風圧により全体的に持ち上げられたり、またパネル体が風圧により湾曲したりしてパネル体の下部が浮き上がり、パネル体の下部が支持金具から外れてしまうことがあった。また、支柱は中空部内に補強材を差し込んで補強してあるが、従来の補強材は角パイプやコ字状断面のものであったため、支持金具や他の部品を支柱にネジで取付けるために、補強材にそれらの取付ネジのための逃がし孔をいちいち加工しなければならず、その加工に大変手間がかかっていた。
【先行技術文献】
【特許文献】
【０００３】
【特許文献１】特開平１１−３３６３７７号公報
【特許文献２】特開２００４−６８４８１号公報
【発明の概要】
【発明が解決しようとする課題】
【０００４】
本発明は以上に述べた実情に鑑み、風圧によりパネル体が支柱から外れるのを防止できるフェンス、及び支柱内に設ける補強材の加工を最小限にできるフェンスの提供を目的とする。
【課題を解決するための手段】
【０００５】
上記の課題を達成するために請求項１記載の発明によるフェンスは、支柱とパネル体とを備え、支柱は、支持具と抜け防止具を有し、パネル体は、支持具に上方より係止する係止部を有すると共に、係止部の上方に抜け防止具と係合自在な係合部を有することを特徴とする。
【０００６】
請求項２記載の発明によるフェンスは、請求項１記載の発明の構成に加え、支柱は、中空部内に補強材を有し、補強材は、左右の側部と繋ぎ部とを有する断面略Ｈ状であり、抜け防止具が繋ぎ部を貫通していることを特徴とする。
【発明の効果】
【０００７】
請求項１記載の発明によるフェンスは、支柱に支持具と抜け防止具を有し、パネル体は支持具に上方より係止する係止部を有すると共に、係止部の上方に抜け防止具と係合自在な係合部を有しており、風圧によりパネル体が浮き上がろうとしても、係合部が抜け防止具と係合することでパネル体の浮き上がりが規制されるため、支持具からパネル体の係止部が外れるのを確実に防止できる。
【０００８】
請求項２記載の発明によるフェンスは、支柱の中空部内に配置する補強材を、左右の側部と繋ぎ部とを有する断面略Ｈ状としたので、補強材の繋ぎ部に抜け防止具が貫通する貫通部を簡単に形成でき、また、支柱を貫通しないネジのための逃がし孔を省略することもできる。
【図面の簡単な説明】
【０００９】
【図１】図３のＡ−Ａ断面図である。
【図２】（ａ）は図３のＢ−Ｂ断面図、（ｂ）は図３のＣ−Ｃ断面図である。
【図３】本発明のフェンスの一実施形態を示す正面図である。
【図４】支柱下部の横断面図であって、支持金具の取付部分を示す。
【図５】パネル体を支柱に取付ける手順を示す側面図である。
【発明を実施するための形態】
【００１０】
以下、本発明の実施の形態を図面に基づいて説明する。図１〜４は、本発明に係るフェンスの一実施形態を示している。このフェンスは、道路と敷地の境界部に支柱１，１，…を間隔をおいて立設し、支柱１，１，…の道路側の面にアルミニウム合金の押出形材を組み合わせてなるパネル体２を取付けたものである。
【００１１】
支柱１は、図１，２に示すように、アルミニウム合金の押出形材で正方形断面の中空状に形成され、支柱１の長手方向の略中間より下部側の中空部７内に補強材８を挿入して補強してある。支柱１の上端部にはキャップ１１を嵌め込み、中空部７を塞いである。補強材８は、アルミニウム合金の押出形材で形成したものであり、図２（ｂ）に示すように、左右の側部９，９と、左右の側部９，９を繋ぐ繋ぎ部１０とを有する断面略Ｈ状となっている。左右の側部９，９は、側方に開口した凹部１２を有するコ字状断面となっている。
【００１２】
パネル体２は、図３に示すように、上桟１３及び下桟１４と、上下桟１３，１４間に左右方向に間隔をおいて架設した多数の縦桟１５，１５，…とを有している。図１に示すように、上桟１３の下面と下桟１４の上面には、付子取付け用の溝１６が設けてあり、その溝１６の底部に形成した爪１７に係合して付子１８が取付けてあり、縦桟１５の上下端部が付子１８に固定してある。上桟１３と下桟１４の端部にはキャップ１９が取付けてある。
【００１３】
図１に示すように、支柱１の上部には引寄せ金具２０が道路側に突出して設けてあり、上桟１３の敷地側面には引寄せ金具２０を差し入れる溝２１が形成してある。引寄せ金具２０は、支柱１に敷地側から挿入したネジ２２と螺合しており、引寄せ金具２０を上桟１３の溝２１に引っ掛けてネジ２２を締めることで、上桟１３を支柱１に引寄せて固定している。
【００１４】
図１に示すように、支柱１の下部の道路側面には、アングル状の支持金具３が取付けてある。支持金具３は、回り止め用の突起２３を支柱１に係止させ、道路側から支柱１にねじ込んだネジ２４で固定している。支持金具３上面には、支柱１の道路側面に沿って係止溝２５が設けてある。下桟１４の下面には、下向きに開口した溝５が形成してあり、溝５の底面５ａと敷地側の壁５ｂとを支持金具３に係止している。
支持金具３のすぐ上の位置には、抜け防止ネジ４が敷地側から支柱１及び補強材８を貫通して設けてあり、抜け防止ネジ４の先端部は支柱１から道路側に突出し、下桟１４の敷地側の面に形成された溝２６内に挿入されている。前記溝２６内の下側面には突条６が上方に突出して設けてあり、突条６が抜け防止ネジ４と係合するようになっている。また抜け防止ネジ４は、図１と図２（ｂ）に示すように、補強材８の繋ぎ部１０に形成した貫通孔２７に挿通してある。
なお、前記貫通孔２７を抜け防止ネジ４が螺合する雌ネジ孔とし、支柱１の道路側及び敷地側の壁に抜け防止ネジ４を挿通する逃がし孔を形成してもよく、その場合は抜け防止ネジ４により支柱１と補強材８とを固定することにもなる。
【００１５】
パネル体２の支柱１への取付け方は、特許文献１記載の従来のフェンスとほぼ同様であって、まず図５（ａ）に示すように、パネル体２の下桟１４の下面の溝５を支柱１下部に取付けた支持金具３に上方より係止させ、引寄せ金具２０を上桟１３の溝２１に引っ掛け、ネジ２２を回して上桟１３を支柱１に引寄せて固定する。その後、図５（ｂ）に示すように、抜け防止ネジ４を支柱１に敷地側から挿入し、抜け防止ネジ４の先端部を下桟１４の敷地側面に形成された溝２６内に差し入れる。すると、溝２６内の突条６が抜け防止ネジ４と係合し、パネル体２の浮き上がりが規制される。
【００１６】
以上に述べたように本フェンスは、支持金具３の上方に抜け防止ネジ４が支柱１から突出して設けてあり、下桟１４の溝２６内に設けた突条６が抜け防止ネジ４と係合することでパネル体２の浮き上がりを規制しているので、強風時にパネル体２が風圧で持ち上がろうとしても下桟１４が支持金具３から外れることがなく、耐風圧性能を大きく向上できる。その結果、支柱１の間隔を広げて支柱１の本数を従来の半分に減らすことが可能となった。パネル体２の支柱１への取付けは、従来のフェンスと同じように簡易に行うことができ、その後に抜け防止ネジ４を支柱１下部に敷地側からねじ込むだけでパネル体２を確実に固定でき、施工性が良い。支柱１は、パネル体２の左右方向の任意の位置に設けることができるいわゆるフリー支柱となっており、施工する現場の状況等に応じて支柱１の位置を適宜ずらすことができる。
【００１７】
また本フェンスは、支柱１内に設ける補強材８を断面略Ｈ状としたことにより、図２（ｂ）に示すように、抜け防止ネジ４のための貫通孔２７を補強材８の繋ぎ部１０に最小限の加工で済ませられ、また図４に示すように、支持金具３を支柱１に取付けるネジ２４のための逃がし孔を省略することができる。さらに、補強材８の左右の側部９，９がコ字状断面となっているため、支柱１の側面に部品２８をネジ２９で取付ける場合でも、補強材８にそのネジ２９の逃がし孔を形成する必要がない。
【００１８】
本発明は以上に述べた実施形態に限定されない。パネル体２の材質やデザインは任意であり、アルミ形材で組み立てたものに限らず、金網やパンチングパネルを用いたもの、アルミ等の鋳物で一体に形成したものであってもよい。抜け防止具４は、ネジに限らず、ピン状のものであってもよく、支柱を貫通しないもの、支柱から突出しないもの（この場合は、例えば支柱の道路側面に凹部を設けると共に、パネル体に係合部を支柱側に突出して設ける）であってもよい。また抜け防止具４は、支持具３よりも上方に設けてあればよく、必ずしも支持具３のすぐ上になくてもよい。パネル体１の係合部６は、抜け防止具４と係合してパネル体１の浮き上がりを規制できればよく、その形態は特に限定されず、例えば係合部を支柱側に突出する突起状に設けることもできる。
【符号の説明】
【００１９】
１  支柱
２  パネル体
３  支持金具（支持具）
４  抜け防止ネジ（抜け防止具）
５  溝（係止部）
６  突条（係合部）
７  中空部
８  補強材
９  側部
１０  繋ぎ部
【図１】
2010261260.tif 000003
【図２】
2010261260.tif 000004
【図３】
2010261260.tif 000005
【図４】
2010261260.tif 000006
【図５】
2010261260.tif 000007